(57)【要約】本発明は、浴室・サウナ室等で多湿な環境下でも快適にビデオ画像やコンピューター画等を拡大投写して観ることができ、音楽も聞けるプロジェクターシステムに関するものであり、少なくとも一面に映写面として機能するガラスを配置する浴室と、前記浴室と隣り合う更衣室と、前記ガラスと対向する位置に設置されて映像を投写するプロジェクター投映装置とからなり、前記ガラスは少なくとも二枚のガラスからなる合わせガラスにより構成され、前記合わせガラスの少なくとも一枚のガラスは透明な導電膜を有する発熱ガラスとし、前記合わせガラスを構成する二枚のガラスの間には半透明の乳白色な中間膜を設けることによって、浴室などの湿度の多い環境下においても、結露・曇りを防止して鮮明な映像の映写を可能とする。【特許請求の範囲】
【請求項１】
少なくとも一面に映写面として機能するガラスを配置する浴室と、前記浴室と隣り合う更衣室と、前記ガラスと対向する位置に設置されて映像を投写するプロジェクター投映装置とからなる浴室用プロジェクターシステムにおいて、前記ガラスは少なくとも二枚のガラスからなる合わせガラスにより構成され、前記合わせガラスの少なくとも一枚のガラスは透明な導電膜を有する発熱ガラスとし、前記合わせガラスを構成する二枚のガラスの間には半透明の乳白色な中間膜を設けたことを特徴とする浴室用プロジェクターシステム。
【請求項２】
少なくとも一面に映写面として機能するガラスを配置する浴室と、前記浴室と隣り合う更衣室と、前記ガラスと対向する位置に設置されて映像を投写するプロジェクター投映装置とからなる浴室用プロジェクターシステムにおいて、前記ガラスは少なくとも二枚のガラスからなる合わせガラスにより構成され、前記合わせガラスの少なくとも一枚のガラスは透明な導電膜を有する発熱ガラスとし、前記合わせガラスを構成する二枚のガラスの間には前記プロジェクター投映装置の映像が投写される部分のみを半透明の乳白色とする中間膜を設けるとともに、前記中間膜の前記プロジェクターの映像が投写されない部分を透明にする中間膜を設けたことを特徴とする浴室用プロジェクターシステム。
【請求項３】
前記発熱ガラスは全面を発熱面とすることを特徴とする請求項１又は請求項２に記載の浴室用プロジェクターシステム。
【請求項４】
前記合わせガラスの映写面及び観像面には反射防止用エッチング加工を施したことを特徴とする請求項１乃至請求項３に記載の浴室用プロジェクターシステム。
【請求項５】
前記浴室と前記更衣室は隣接するように配置され、前記浴室と前記更衣室を隔てる側面に前記合わせガラスを配置し、前記プロジェクター投映装置は前記更衣室に配置されることを特徴とする請求項１乃至請求項４に記載の浴室用プロジェクターシステム。
【請求項６】
前記プロジェクター投映装置は、キャビネットと、前記キャビネットの内部に格納した原画像を拡大投写するプロジェクターと、前記プロジェクターより拡大投写される画像光束を合わせガラスの映写面に案内する光学系により構成されることを特徴とする請求項１乃至請求項５に記載の浴室用プロジェクターシステム。
【請求項７】
前記プロジェクター投映装置は、キャビネットと、前記キャビネットの内部に格納した原画像を拡大投写するプロジェクターと、前記プロジェクターより拡大投写される画像光束をキャビネットの所定の部位へ案内する光学系により構成されることを特徴とする請求項１乃至請求項５に記載の浴室用プロジェクターシステム。
【請求項８】
前記プロジェクター投映装置は、キャビネットと、前記キャビネットの内部に格納した原画像を拡大投写するプロジェクターと、前記プロジェクターより拡大投写される画像光束をキャビネットの所定の部位へ案内するとともに、前記合わせガラスの映写面に案内する光学系により構成されることを特徴とする請求項１乃至請求項５に記載の浴室用プロジェクターシステム。
【請求項９】
前記プロジェクター投映装置は、キャビネットと、前記キャビネットの内部に格納した原画像を拡大投写するプロジェクターと、前記プロジェクターより拡大投写される画像光束をキャビネットの所定の部位へ案内するとともに、前記合わせガラスの映写面に案内する光学系と、前記キャビネットの所定の部位には透光性の開閉部材を設けることにより構成されることを特徴とする請求項１乃至請求項５に記載の浴室用プロジェクターシステム。
【請求項１０】
前記プロジェクター投映装置は、キャビネットと、前記キャビネットの内部に格納した原画像を拡大投写するプロジェクターと、前記プロジェクターより拡大投写される画像光束をキャビネットの所定の部位へ案内するとともに、前記合わせガラスの映写面に案内する光学系と、前記キャビネットの所定の部位には透光性の開閉部材と遮光性の可動部材を設けることにより構成されることを特徴とする請求項１乃至請求項５に記載の浴室用プロジェクターシステム。
【請求項１１】
前記光学系は、鏡面を少なくとも一枚以上含むことを特徴とする請求項６乃至請求項１０に記載の浴室用プロジェクターシステム。
【請求項１２】
前記遮光性の可動部材は、少なくとも一方の面に反射性の鏡面が形成されると共に、該鏡面が、可動部材の開動作または閉動作による位置の変更により光学系の一部として機能することを特徴とする請求項１０又は請求項１１に記載の浴室用プロジェクターシステム。
【請求項１３】
前記開閉部材及び／又は前記可動部材がキャビネットの側面に形成されたことを特徴とする請求項９乃至請求項１２に記載の浴室用プロジェクターシステム。
【請求項１４】
前記可動部材がキャビネットの天面に形成されたことを特徴とする請求項１０乃至請求項１３に記載の浴室用プロジェクターシステム。
【請求項１５】
前記キャビネットの底部に可動手段が設けられたことを特徴とする請求項６乃至請求項１４に記載の浴室用プロジェクターシステム。
【請求項１６】
前記キャビネットの内部に換気手段が設けられていることを特徴とする請求項６乃至請求項１５に記載の浴室用プロジェクターシステム。
【請求項１７】
前記キャビネットに湿度センサが設けられていることを特徴とする請求項６乃至請求項１６に記載の浴室用プロジェクターシステム。
【請求項１８】
前記更衣室は姿見を配置し、前記姿見は前記プロジェクター投映装置からの画像光束を反射し、前記姿見にて反射された画像光束が前記合わせガラスの映写面に投写されることを特徴とする請求項５に記載の浴室用プロジェクターシステム。
【請求項１９】
前記鏡面又は前記姿見には透明な導電膜を有する発熱ガラスが貼付されることを特徴とする請求項６乃至請求項１８に記載の浴室用プロジェクターシステム。
【請求項２０】
前記合わせガラスの更衣室側の面において、映写面から外れた位置にガラスを振動させて発音するエキサイダを取り付けたことを特徴とする請求項１乃至請求項１９に記載の浴室用プロジェクターシステム。
【請求項２１】
請求項６乃至請求項１７に記載の浴室用プロジェクターシステムにおいて使用されるプロジェクター投映装置。
【発明の詳細な説明】
【技術分野】  本発明は、浴室・サウナ室等で多湿な環境下でも快適にビデオ画像やコンピューター画等を拡大投写して観ることができ、音楽も聞けるプロジェクターシステムに関するものである。
【背景技術】  近年の生活様式の変化に伴って、入浴中に映画・ビデオ等の映像（以下、「映像」という）を楽しみたいという要求が高まり、浴室の側壁にテレビ受像器を嵌め込む技術や、大画面を望む場合には、スクリーンとプロジェクター投映装置を用意し、側壁にスクリーンを掛けるまたは嵌め込み、対向する側壁に設けたプロジェクター投映装置から映像を投写する技術等が提案されてきた。
しかし、浴室・更衣室は浴槽内の水蒸気により、湿度が非常に高く、浴室内の反射鏡だけでなく、更衣室内の姿見も曇ってしまう事が多く、上記のように浴室の側壁にテレビ受像器を嵌め込んだ場合や、スクリーンを浴室の側壁に掛けたり嵌め込んだりした場合には、映像が不鮮明な状態となるという問題があった。
また、プロジェクター投映装置は、キャビネット内にプロジェクターからの原画像を拡大投写して案内する投写手段と反射鏡を複数枚設け、案内された画像光束を最終的にスクリーンに投写する構成が一般的に用いられてきた。
しかし、上記のようなプロジェクター投映装置は、スクリーンに対して垂直な光軸をもって投写することを前提としているため、スクリーンに対して垂直な光軸を維持できない場合、台形歪などにより映像に歪みが生じるため、反射鏡の設置条件に大きな制約を受け、これによって投写レンズなどの光学系に割く面積が大きくなるためにスクリーンに対する奧行き方向の寸法が増し、薄型のプロジェクター投映装置とすることができないという問題があった。
本発明は、上記の事情を鑑みて、とりわけ、浴室などの多湿環境下において使用に適したプロジェクターシステムと、該プロジェクターシステムに係るプロジェクター投映装置を提供するものである。
【発明の開示】
本発明の浴室用プロジェクターシステムは、少なくとも一面に映写面として機能するガラスを配置する浴室と、前記浴室と隣り合う更衣室と、前記ガラスと対向する位置に設置されて映像を投写するプロジェクター投映装置とからなる浴室用プロジェクターシステムにおいて、前記ガラスは少なくとも二枚のガラスからなる合わせガラスにより構成され、前記合わせガラスの少なくとも一枚のガラスは透明な導電膜を有する発熱ガラスとし、前記合わせガラスを構成する二枚のガラスの間には半透明の乳白色な中間膜を設けたことを特徴とする浴室用プロジェクターシステムである。
上記構成によれば、合わせガラスを構成するガラスの少なくとも一枚のガラスには透明な導電膜を有する発熱ガラスを使用することで、結露・曇りを防止して鮮明な映像の映写を可能とするものである。
本発明の浴室用プロジェクターシステムは、少なくとも一面に映写面として機能するガラスを配置する浴室と、前記浴室と隣り合う更衣室と、前記ガラスと対向する位置に設置されて映像を投写するプロジェクターとからなる浴室用プロジェクターシステムにおいて、前記ガラスは少なくとも二枚のガラスからなる合わせガラスにより構成され、前記合わせガラスの少なくとも一枚のガラスは透明な導電膜を有する発熱ガラスとし、前記合わせガラスを構成する二枚のガラスの間には前記プロジェクターの映像が投写される部分のみを半透明の乳白色とする中間膜を設けるとともに、前記中間膜の前記プロジェクターの映像が投写されない部分を透明にする中間膜を設けたことを特徴とする浴室用プロジェクターシステムである。
上記構成によれば、ガラスにはプロジェクターの映像が投写される部分のみを半透明の乳白色とするとともに、前記中間膜の前記プロジェクターの映像が投写されない部分を透明とする中間膜を使用しているため、ガラスをスクリーンとして使用することを可能とするとともに、映写面部分以外を透明としたことで浴室の圧迫感を軽減することを可能である。
前記発熱ガラスは必ずしもガラスの全面を発熱面としないが、好適には全面を発熱面とすることによって、ガラス上面で結露して水滴が垂下して映写に悪影響を与えることを防止することが可能である。
また、浴室の内部の照明や更衣室の内部に配置された姿見などの反射物による余計な反射光がガラスに写りこむことで映像を不鮮明なものになるという問題を有しているが、これらの問題はガラスの映写面及び観像面には反射防止用エッチング加工を施すことで解決可能である。
プロジェクターは浴室に配置しても良いが、より好適には更衣室に配置するとともに浴室と更衣室を隔てる側面にガラスを配置することによって、該ガラスをスクリーンとして使用して別途プロジェクターとスクリーンを浴室の中に配置する必要がないため浴室を広く使用することが可能であり、また、防水機能付きのプロジェクターを必要とせず通常のプロジェクターを使用することである。
前記のプロジェクターは、プロジェクター投映装置としてユニット化することも可能である。
前記プロジェクターは、キャビネットと、前記キャビネットの内部に格納した原画像を拡大投写するプロジェクターと、前記プロジェクターより拡大投写される画像光束を合わせガラスの映写面に案内するための光学系を鏡面を少なくとも一枚以上含むように構成することによって、短焦点レンズを使用すること無く、狭い更衣室を有効に活用することが可能である。
本発明のプロジェクター投映装置は、キャビネット内に、原画像を拡大投写するプロジェクターと、該プロジェクターより投写される画像光束をキャビネットの所定の部位へ向けて導光させる光学系を備えたプロジェクター投映装置において、前記キャビネットから外部へ投映される部位へ透光性の可動部材を設けたことを特徴としている。
本発明のプロジェクター投映装置は、キャビネット内に、原画像を拡大投写するプロジェクタと、該プロジェクタより投写される画像光束をキャビネットの所定の部位へ向けて導光させる光学系を備えたプロジェクター投映装置において、キャビネットから外部へ投映される部位へ遮光性の可動部材を設ける構成とすることも可能である。
前記透光性の可動部材は、例えば、該プロジェクターより投写される画像光束をそのまま通過させるガラスであり、また、前記遮光性の可動部材は、少なくとも一方の面に反射性の鏡面が形成されていて、この鏡面を、可動部材の位置の変更により光学系の一部として機能させる構成としている。
また、上記の構成において、回動部材はキャビネットの側面や天面に形成され、キャビネットの底部には可動手段が設けられる。
更に、本発明は、浴室内での使用を考慮して、キャビネットに換気手段や湿度センサを設けたことも特徴としている。
また、更衣室にプロジェクターを配置してプロジェクターからの光束を映写面に直接投写する場合、プロジェクターから映写面までの距離が短いのでプロジェクターのレンズに短焦点レンズを使用することが有効であるが、一般に短焦点レンズは高価であり費用面で有益ではない。このような費用面の問題については、更衣室に姿見を配置し、前記姿見は前記プロジェクターからの光束を反射し、前記姿見にて反射された反射光束が前記合わせガラスの映写面に投写されるように構成することで安価に構成して解決可能である。
尚、前記姿見には透明な導電膜を有する発熱ガラスが貼付されるによって、湿度の高い更衣室の内部でも結露・曇りを防止でき、姿見を反射鏡として使用することが可能である。
また、スピーカなどの発音手段については、合わせガラスの映写面を形成する側にエキサイダを設置することによって、板材自体から音声が出るので、映像の方角と音声の発生位置が同一となり、聞く人の臨場感や立体感を高める効果をもたらし、平面型スピーカであるために、音声の指向性が非常に小さく全方位から聞き取れ、音源からの距離による音量の差も小さくなる等の機能的な利点を備えている。
【図面の簡単な説明】  第１図は、本発明における実施例１の浴室用プロジェクターシステムの概要を示す平面図。
第２図は、本発明における実施例１の浴室用プロジェクターシステムの概要を示す側面図。
第３図は、本発明に用いられる合わせガラスを示す図であり、（ａ）は側面断面図であり、（ｂ）は平面図。
第４図は、本発明における実施例２の浴室用プロジェクターシステムの概要を示す平面図。
第５図は、本発明における実施例２の浴室用プロジェクターシステムの概要を示す側面図。
第６図は、本発明における実施例３のプロジェクター投映装置を表す上面図。
第７図は、本発明における実施例３のプロジェクター投映装置を表す側面図。
第８図は、本発明における実施例３のプロジェクター投映装置を表す正面図。
第９図は、本発明における実施例４のプロジェクター投映装置を表す上面図。
第１０図は、本発明における実施例４のプロジェクター投映装置を表す側面図。
第１１図は、本発明における実施例４のプロジェクター投映装置を表す正面図。
【発明を実施するための最良の形態】  図１は、本発明における実施例１の浴室用プロジェクターシステムの概要を示す平面図であり、図２は、本発明における実施例１の浴室用プロジェクターシステムの概要を示す側面図であり、図３は、本発明における実施例１の浴室用プロジェクターシステムに用いられる合わせガラスの構成を示している。本実施例において、１は合わせガラスであり、２は浴室であり、３は更衣室であり、４０はユニット化していないプロジェクターのみからなるプロジェクター投映装置である。１１は合わせガラス１の映写面を有するガラスであり、１２は合わせガラス１の間に配置された中間膜であり、１３は合わせガラス１の観像面を有するガラスであり、１４は観像面を有するガラス１３に貼付された透明な導電膜であり、１５は合わせガラス１を固定するサッシ、１６は発熱のための電極、１７は発熱のために図示しない電源に接続されたリード線である。
合わせガラス１は、半透明の乳白色に形成した中間膜１２が、映写面を有するガラス１１と観像面を有するガラス１３とによって狭持されるように構成されている。前記中間膜１２のプロジェクター投映装置４０から映像が映写される部分のみを乳白色に形成することによって、ガラス１は映写スクリーンとしての機能を有し、前記中間膜１２の乳白色に形成した部分以外を透明に形成したことによって、浴室１に与える圧迫感を軽減することが可能である。
前記観像面を有するガラス１３は浴室２に面して配置されており、前記ガラス１３の中間膜１２に面する側には透明な導電膜１４が配置されるとともにガラスの上部又は下部のサッシ１５を通過して電源（図示せず）に接続されている電極１６及びリード線１７に接続されている。前記導電膜１４は、通電によって発熱可能であり、このような構成によって、入浴時に映像を観賞する際にも前記ガラス１３の観像面には結露・曇りが生じず鮮明な映像を観賞することが可能である。また、前記の透明な導電膜１４はガラス１３の全面に配置することでガラス１３の上部で結露も生じず、ガラス１３の上部で結露を原因として水滴が垂下することを防止する。
また、前記のガラス１１、１３は室内で使用され、更衣室３に面するガラス１１の映写面では更衣室３の内部の反射物による再反射や浴室２に面するガラス１３の観像面に浴室２の室内照明の写りこみにより、鮮明な映像の映写が困難となるという問題を有しているが、実施例１においては、前記ガラス１１の映写面及びガラス１３の観像面に反射防止用エッチング１８を施すことにより、前記の室内の反射物により生じる再反射や室内照明の写りこみを防止することが可能である。
実施例１においては、プロジェクター投映装置４０を更衣室３に配置したため、浴室を広く使用することが可能であり、また、防水機能付きのプロジェクターを必要とせず通常のプロジェクターを使用することである。
また、前記のようにプロジェクター投映装置４０を更衣室３に配置して、プロジェクター投映装置４０からの光束をガラス１１の映写面に直接投写する場合には、プロジェクター投映装置４０とガラス１１の映写面までの距離が近いため、高価な短焦点レンズが必要となり、不経済であるという問題があるが、本発明の実施例１においては、更衣室３に設けた姿見３２にプロジェクター投映装置４０からの光束を反射し、前記姿見３２にて反射された反射光束が前記ガラス１１の映写面に投写されるように構成することで短焦点レンズを必要とせず、安価に構成することが可能である。
尚、前記姿見３２は、通常では更衣室３の内部の湿度によって結露・曇りを生じてしまうため、光束を鮮明に反射させることは困難であるが、本発明の実施例１においては、前記姿見３２に透明な導電膜を有する発熱ガラスが貼付されることによって、湿度の高い更衣室の内部でも結露・曇りを防止でき、姿見３２をプロジェクター投映装置４０の反射鏡として使用することが可能である。
また、スピーカなどの発音手段５については、ガラス１１の更衣室３に面する表面にエキサイダ５１、５２を設置することによって、映像を投写する板材自体から音声が出るので、映像の方角と音声の発生位置が同一となり、聞く人の臨場感や立体感を高める効果をもたらすことが可能である。また、平面型スピーカであるために、音声の指向性が非常に小さく全方位から聞き取れ、音源からの距離による音量の差も小さくなる等の機能的な利点を備えている。
図４は、本発明における実施例２の浴室用プロジェクターシステムの概要を示す平面図であり、図５は、本発明における実施例２の浴室用プロジェクターシステムの概要を示す側面図である。本実施例において、６はプロジェクター４を収納するキャビネットであり、該キャビネット６には画像光束が通過可能な開口が形成されている。前記プロジェクター４よりの画像光束は、前記キャビネット６の内部に設けた鏡面６１によって前記ガラス１１の映写面に投写するものである。プロジェクター４を更衣室３に配置して、プロジェクター４からの画像光束をガラス１１の映写面に直接投写する場合には、プロジェクター４とガラス１１の映写面までの距離が近いため、高価な短焦点レンズが必要となり、不経済であるという問題があるが、本発明の実施例２においては、キャビネット６の内部に設けた鏡面６１を使用することによって、短焦点レンズを使用すること無く、また、姿見の位置に制限を受けることなく、狭い更衣室を有効に活用することが可能である。
図６は本発明における実施例３のプロジェクター投映装置を表す上面図であり、図７は本発明における実施例３のプロジェクター投映装置を表す側面図、図８は本発明における実施例３のプロジェクター投映装置を表す正面図である。４０はプロジェクター投映装置であり、６はキャビネットであり、４はプロジェクターであり、３１は鏡面であり、６２はガラス製の扉であり、７はキャスターであり、８は換気ファンであり、９は湿度センサである。
実施例３においては、キャビネット６の内部に、原画像を拡大投写するプロジェクター４が設置され、該プロジェクター４より投写される画像光束をキャビネット６の所定の部位へ向けて導光させる光学系、具体的には、反射光を生じさせる鏡面６１を備え、前記鏡面６１と対向する側面に透光性の可動部材、即ちガラス製の扉６２が設置されている。
上記の構成によれば、狭いスペースでも大画面を投影する事ができ、その際、投影される画像光束は台形歪みが生じない。
更に、実施例３のプロジェクター投映装置４０には、換気ファン８、湿度センサ９を備えており、プロジェクター４の排熱をガラス製の扉６２の例えば、下端の隙間から吸気し、上部の隙間から排気することができる。従って、居間等の環境では勿論のこと、浴室等の湿度の高い環境下でも使用できるプロジェクター投映装置を実現することが可能である。特に、本発明のプロジェクター投映装置４０は浴室などの湿度の高い環境下において使用する際には有用であり、この場合には使用開始までの間にキャビネット６の内部に設置したプロジェクター４などが結露するという問題があるが、本発明の実施例３に開示するプロジェクター投映装置においては、前記キャビネット６の内部に設置されている前記湿度センサ９によってキャビネット６の内部の湿度上昇が検知された場合には、前記キャビネット６の内部に設置されている前記換気ファン８を駆動させてキャビネット６の内部の湿度を下げて、良好に投影を行うことを可能とする。
実施例３のプロジェクター投映装置４０は、前記キャビネット６の底部にキャスター７を設置されているので、浴室に限らず、居間、子供部屋等に自由に移動が可能である。
図９は本発明における実施例４のプロジェクター投映装置を表す上面図であり、図１０は本発明における実施例４のプロジェクター投映装置を表す側面図、図１１は本発明における実施例４のプロジェクター投映装置を表す正面図である。プロジェクター投映装置４０であり、６はキャビネットであり、４はプロジェクターであり、６２はガラス製の扉であり、６３は上蓋であり、７はキャスターであり、８は換気ファンであり、９は湿度センサであり、６１は鏡面である。
実施例４のプロジェクター投映装置においては、キャビネット６の内部に、原画像を拡大投影するプロジェクター４が設置され、キャビネット６の天面に配置された遮光性の可動部材、即ち上蓋６３の内面には鏡面６１が設置され、キャビネット６の一側面には透光性の可動部材、即ちガラス製の扉６２が設置されている。
実施例４のプロジェクター投映装置における上蓋６３は、キャビネット６の天面を閉塞するヒンジ開閉式の蓋として形成されていると共に、上蓋６３は最大限に開放されるとキャビネット６の透光性の扉４に対向する側壁に沿って配置することが可能な構造である。前記のように、上蓋６３がキャビネット６の側壁に沿って配置されると、上蓋６３に形成された鏡面６１はキャビネット６の内面に配置されて、プロジェクター４より投写される画像光束を反射させ、ガラス製の扉６２から台形歪みのない投写を行うことが可能である。
尚、実施例４のプロジェクター投映装置においては，遮光性の可動部材はヒンジ開閉式の蓋として形成されているが、これに限定するものではなく、例えば、キャビネットの天面に配置した遮光性の可動部材は、一旦キャビネットから取り外して後にキャビネットのガラス製の扉に鏡面が対向するように配置可能な構成とすることも可能である。
【産業上の利用可能性】  本発明は、上記の如く構成したことにより、湿度の多い浴室などのガラスを使用した浴室用プロジェクターシステムにおいても、結露・曇りを防止して鮮明な映像の映写を可能とする。
また、合わせガラスに使用した中間膜の半透明な乳白色部分を映写面にのみに形成し、その他の部分については透明に形成することによって、浴室の圧迫感を軽減し、快適に映像を観賞することを可能とする。
本発明の発熱ガラスは、好適には全面を発熱面とすることによって、ガラス上面で結露して水滴が垂下して映写に悪影響を与えることを防止することが可能である。
また、合わせガラスは浴室の内部の照明や更衣室の内部に配置された姿見などの反射物による余計な反射光がガラスに写りこむことで映像を不鮮明なものになるという問題を有していたが、これらの問題はガラスの映写面及び観像面には反射防止用エッチング加工を施すことで解決可能であり、鮮明な映像の映写が可能である。
プロジェクターを更衣室に配置するとともに浴室と更衣室を隔てる側面にガラスを配置してスクリーンとして使用することによって、浴室を広く使用することが可能であり、また、防水機能付きのプロジェクターを必要とせず通常のプロジェクターを使用することが可能である。
また、更衣室にプロジェクターを配置する場合にも、更衣室に姿見を配置し、前記姿見は前記プロジェクターからの光束を反射し、前記姿見にて反射された反射光束が前記合わせガラスの映写面に投写されるように構成することで安価に構成することが可能である。
尚、前記姿見には透明な導電膜を有する発熱ガラスが貼付するにことよって、湿度の高い更衣室の内部でも結露・曇りを防止でき、姿見を反射鏡として使用することが可能である。
また、スピーカなどの発音手段については、合わせガラスの映写面を形成する側にエキサイダを設置することによって、板材自体から音声が出るので、映像の方角と音声の発生位置が同一となり、聞く人の臨場感や立体感を高める効果をもたらし、平面型スピーカであるために、音声の指向性が非常に小さく全方位から聞き取れ、音源からの距離による音量の差も小さくなる等の機能的な利点を備えている。
また、プロジェクターを収納するキャビネットを設け、プロジェクターよりの光束は、キャビネットの内部に設けた反射鏡によってガラスの映写面に投写することによって、短焦点レンズを使用すること無く、また、姿見の位置に制限を受けることなく、狭い更衣室を有効に活用することが可能である。
また、本発明におけるプロジェクター投映装置は、筐体を小型化・薄型化しても台形歪を生じることがないので、プロジェクター投映装置を小型化・薄型化してスペースを有効に活用することが可能であると共に、特に、浴室等の湿度の高い環境下でも安心して使用できる、プロジェクター投映装置を提供したものである。
【図１】
2005114320.tif 000002
【図２】
2005114320.tif 000003
【図３】
2005114320.tif 000004
【図４】
2005114320.tif 000005
【図５】
2005114320.tif 000006
【図６】
2005114320.tif 000007
【図７】
2005114320.tif 000008
【図８】
2005114320.tif 000009
【図９】
2005114320.tif 000010
【図１０】
2005114320.tif 000011
【図１１】
2005114320.tif 000012
【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
映写面として機能する面と観像面として機能する面に反射防止用エッチングを施すとともに、透明な導電膜を配置して全面を発熱面とする発熱ガラスを含む二枚以上のガラスと、前記二枚以上のガラスの間には前記プロジェクター投映装置の映像が投写される部分のみを半透明の乳白色とし映像が投写されない部分を透明とした中間膜とから構成される合わせガラスと、
該合わせガラスを少なくとも側面に配置する浴室と、
前記浴室に配置される合わせガラスを側面として兼用するように配置する更衣室と、
キャビネットと、前記キャビネットの内部に格納した原画像を拡大投写するプロジェクターと、前記プロジェクターより拡大投写される画像光束をキャビネットの所定の部位へ案内するとともに合わせガラスの映写面に案内する鏡面を少なくとも一枚以上含む光学系により構成されるプロジェクター投映装置とからなり、
前記プロジェクター投映装置は前記合わせガラスと対向するように前記更衣室に設置されることを特徴とする浴室用プロジェクターシステム。
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
前記プロジェクター投映装置は、キャビネットと、前記キャビネットの内部に格納した原画像を拡大投写するプロジェクターと、前記プロジェクターより拡大投写される画像光束をキャビネットの所定の部位へ案内するとともに、前記合わせガラスの映写面に案内する光学系と、前記キャビネットの所定の部位には透光性の開閉部材を設けることにより構成されることを特徴とする請求項１に記載の浴室用プロジェクターシステム。
【請求項１０】
前記プロジェクター投映装置は、キャビネットと、前記キャビネットの内部に格納した原画像を拡大投写するプロジェクターと、前記プロジェクターより拡大投写される画像光束をキャビネットの所定の部位へ案内するとともに、前記合わせガラスの映写面に案内する光学系と、前記キャビネットの所定の部位には透光性の開閉部材と遮光性の可動部材を設けることにより構成されることを特徴とする請求項１に記載の浴室用プロジェクターシステム。
【請求項１１】
（削除）
【請求項１２】
前記遮光性の可動部材は、少なくとも一方の面に反射性の鏡面が形成されると共に、該鏡面が、可動部材の開動作または閉動作による位置の変更により光学系の一部として機能することを特徴とする請求項１又は請求項１０に記載の浴室用プロジェクターシステム。
【請求項１３】
前記開閉部材及び／又は前記可動部材がキャビネットの側面に形成されたことを特徴とする請求項１、請求項９、請求項１０、請求項１２のいずれかに記載の浴室用プロジェクターシステム。
【請求項１４】
前記可動部材がキャビネットの天面に形成されたことを特徴とする請求項１、請求項１０、請求項１２のいずれかに記載の浴室用プロジェクターシステム。
【請求項１５】
前記キャビネットの底部に可動手段が設けられたことを特徴とする請求項１、請求項９、請求項１０、請求項１２、請求項１３、請求項１４のいずれかに記載の浴室用プロジェクターシステム。
【請求項１６】
前記キャビネットの内部に換気手段が設けられていることを特徴とする請求項１、請求項９、請求項１０、請求項１２、請求項１３、請求項１４、請求項１５のいずれかに記載の浴室用プロジェクターシステム。
【請求項１７】
前記キャビネットに湿度センサが設けられていることを特徴とする請求項１、請求項９、請求項１０、請求項１２、請求項１３、請求項１４、請求項１５、請求項１６のいずれかに記載の浴室用プロジェクターシステム。
【請求項１８】
前記更衣室は姿見を配置し、前記姿見は前記プロジェクター投映装置からの画像光束を反射し、前記姿見にて反射された画像光束が前記合わせガラスの映写面に投写されることを特徴とする請求項１に記載の浴室用プロジェクターシステム。
【請求項１９】
前記鏡面又は前記姿見には透明な導電膜を有する発熱ガラスが貼付されることを特徴とする請求項１、請求項９、請求項１０、請求項１２、請求項１３、請求項１４、請求項１５、請求項１６、請求項１７、請求項１８のいずれかに記載の浴室用プロジェクターシステム。
【請求項２０】
前記合わせガラスの更衣室側の映写面において、映写面から外れた位置にガラスを振動させて発音するエキサイダを取り付けたことを特徴とする請求項１、請求項９、請求項１０、請求項１２、請求項１３、請求項１４、請求項１５、請求項１６、請求項１７、請求項１８、請求項１９のいずれかに記載の浴室用プロジェクターシステム。
【請求項２１】
請求項１、請求項９、請求項１０、請求項１２、請求項１３、請求項１４、請求項１５、請求項１６、請求項１７のいずれかに記載の浴室用プロジェクターシステムにおいて使用されるプロジェクター投映装置。
【国際調査報告】
2005114320.tif 000013
2005114320.tif 000014
2005114320.tif 000015
2005114320.tif 000016